(57)【要約】【課題】被検体が動く場合でも、センサー部を被検体に押し付けた状態を維持し易い生体情報計測装置を提供する。【解決手段】生体情報計測装置１００は、生体情報センサー（センサー部９０）と、生体情報センサーを保持するケース（ケース部３０）と、蛇腹構造の伸縮部（第１の伸縮部２１および第２の伸縮部２２）とバンド本体（第１のバンド本体１１および第２のバンド本体１２）とを含み、ケースに接続されたバンド（第１のバンド部３１および第２のバンド部３２）と、を含む。【選択図】図１Ｂ
2017176208.tif 000002
【特許請求の範囲】
【請求項１】
第１面を有し、前記第１面と交差する方向に折り曲げられた蛇腹構造の伸縮部と、
前記伸縮部と接続されたバンド本体と、
前記伸縮部の、少なくとも前記第１面側に配置された補助部材と、
を含むバンド。
【請求項２】
前記補助部材は、前記伸縮部の前記第１面を覆う、請求項１に記載のバンド。
【請求項３】
前記補助部材は、さらに、前記伸縮部の前記第１面に対向する第２面と、前記第１面と前記第２面とを接続する面とを覆う、請求項２に記載のバンド。
【請求項４】
前記補助部材は、前記伸縮部と硬度が同じ、または前記伸縮部よりも硬度が低い、請求項１ないし請求項３のいずれか一項に記載のバンド。
【請求項５】
前記補助部材の前記バンド本体側の端部は、
前記第１面側において、前記伸縮部側から前記バンド本体側に向かって厚さが減少するように、前記第１面に対向する面とは反対側の面が傾斜している、請求項１ないし請求項４のいずれか一項に記載のバンド。
【請求項６】
前記補助部材は、前記バンド本体に対して脱着可能である、請求項１ないし請求項５のいずれか一項に記載のバンド。
【請求項７】
前記補助部材は、前記バンド本体側の端部に、突起部を備え、
前記バンド本体は、前記突起部に対向する位置に凹部を備えている、請求項１ないし請求項６のいずれか一項に記載のバンド。
【請求項８】
前記補助部材は、前記伸縮部よりも硬度が低く、前記第１面側の前記蛇腹構造の隙間に埋設されている、請求項１に記載のバンド。
【請求項９】
生体情報センサーと、
前記生体情報センサーを保持するケースと、
蛇腹構造の伸縮部とバンド本体とを含み、前記ケースに接続されたバンドと、
を含む生体情報計測装置。
【請求項１０】
前記生体情報センサーは、前記ケースの一方面側に配置されており、
前記伸縮部は、前記一方面側に位置する第１面を有し、
前記蛇腹構造は、前記第１面と交差する方向に折り曲げられている、請求項９に記載の生体情報計測装置。
【請求項１１】
、
前記伸縮部の、少なくとも前記第１面側に配置された補助部材を含む、請求項９または請求項１０に記載の生体情報計測装置。
【請求項１２】
前記補助部材は、前記伸縮部の前記第１面を覆う、請求項１１に記載の生体情報計測装置。
【請求項１３】
前記補助部材は、さらに、前記伸縮部の前記第１面に対向する第２面と、前記第１面と前記第２面とを接続する面とを覆う、請求項１２に記載の生体情報計測装置。
【請求項１４】
前記補助部材は、前記伸縮部と硬度が同じ、または前記伸縮部よりも硬度が低い、請求項１１ないし請求項１３のいずれか一項に記載のバンド。
【請求項１５】
前記補助部材の前記バンド本体側の端部は、
前記伸縮部側から前記バンド本体側に向かって厚さが減少するように、前記第１面に対向する面とは反対側の面が傾斜している、請求項１１ないし請求項１４のいずれか一項に記載の生体情報計測装置。
【請求項１６】
前記補助部材は、前記バンド本体に対して脱着可能である、請求項１１ないし請求項１５のいずれか一項に記載の生体情報計測装置。
【請求項１７】
前記補助部材は、前記バンド本体側の端部に、突起部を備え、
前記バンド本体は、前記突起部に対向する位置に凹部を備えている、請求項１１ないし請求項１６のいずれか一項に記載の生体情報計測装置。
【請求項１８】
前記補助部材は、前記伸縮部よりも硬度が低く、前記一方面側の前記蛇腹の隙間に埋設されている、請求項１１に記載の生体情報計測装置。
【発明の詳細な説明】
【技術分野】
【０００１】
本発明は、バンド、およびバンドを備えた生体情報計測装置に関する。
【背景技術】
【０００２】
近年、センシング技術の向上により腕時計型の活動計（生体情報計測装置）が各社から多く商品化されてきている。そして、このような活動計やウォッチ（時計）等を、例えば被検体の腕などに固定するために用いるバンドも発明されている。そのような従来技術としては、例えば特許文献１に記載される技術が開示されている。
【０００３】
特許文献１に記載される発明では、同文献の図１に示されているように、バンドに伸縮性があり、腕径の変化に対応しやすい形状となっている。具体的には、バンドの長手方向に伸長しやすい形状になっているため、活動計の裏面に設けられたセンサー部を所定圧力で肌表面に密着させることができる。
【先行技術文献】
【特許文献】
【０００４】
【特許文献１】特開２０１２−９０９７５号公報
【発明の概要】
【発明が解決しようとする課題】
【０００５】
しかしながら、近年は、従来の活動計（例えば脈拍計）のみならず、例えばＧＰＳ（Global Positioning System）搭載のランニングウォッチ等、激しい動きをする際に用いられるスポーツ機器でも、生体情報をセンシングする必要が高まっている。また、活動計を用いた装着であっても、終日装着して計測を行う機種もあり、スポーツ機器と同様の状況が生じうる。特許文献１において開示されているバンドを、そのような激しい動きをする際に用いる機器に使用すると、激しい腕の振り等によって機器本体に大きな重力加速度が掛かり、バンドに設けた伸縮部に伸長方向とは異なる方向の力が作用することがある。その結果、機器本体が腕の動きに合わせて揺れたり、捻れたり、あるいは傾いたりしてしまう。この場合、機器本体の裏蓋に配置されたセンサー部を肌表面に密着させた状態を維持させることが出来ず、センサー信号の誤検出などを生じる虞がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るバンドは、第１面を有し、前記第１面と交差する方向に折り曲げられた蛇腹構造の伸縮部と、前記伸縮部と接続されたバンド本体と、前記伸縮部の、少なくとも前記第１面側に配置された補助部材と、を含む。
【０００８】
本適用例に記載のバンドによれば、第１面と交差する方向に折り曲げられている蛇腹構造により、第１面上において、蛇腹構造の配列されている方向（伸長方向）と交差する方向（伸縮方向と異なる方向）に対する伸縮部の強度を強くすることができ、この交差する方向に伸縮部が過度に捩じれたり傾いたりすることを防ぐことができる。また、伸縮部の第１面側に補助部材が配置されているため、装着したときに蛇腹構造と被検体との直接の当接を防止することができ、装着フィット感を向上させることが可能となる。
【０００９】
［適用例２］上記適用例に記載のバンドにおいて、前記補助部材は、前記伸縮部の前記第１面を覆う、ことが好ましい。
【００１０】
本適用例によれば、補助部材が伸縮部の第１面を覆っているため、装着したときに蛇腹構造と被検体との直接の当接を防止することができ、装着したときのフィット感を向上させることが可能となる。
【００１１】
［適用例３］上記適用例に記載のバンドにおいて、前記補助部材は、さらに、前記伸縮部の前記第１面に対向する第２面と、前記第１面と前記第２面とを接続する面とを覆う、ことが好ましい。
【００１２】
本適用例によれば、補助部材により、蛇腹構造の伸縮部が見えないことから、バンドの視認性（デザイン性）を向上させることができる。また、伸縮部が補助部材に囲まれているため、補助部材が伸縮部のガイド部材として機能し、伸縮部の過度の捩じれや傾きを、さらに抑制することができる。
【００１３】
［適用例４］上記適用例に記載のバンドにおいて、前記補助部材は、前記伸縮部と硬度が同じ、または前記伸縮部よりも硬度が低い、ことが好ましい。
【００１４】
本適用例によれば、補助部材の硬度が伸縮部の硬度と同じ、または伸縮部の硬度より低いため、蛇腹構造の伸縮性を損ねることなく補助部材を配置することができる。
【００１５】
［適用例５］上記適用例に記載のバンドにおいて、前記補助部材の前記バンド本体側の端部は、前記第１面側において、前記伸縮部側から前記バンド本体側に向かって厚さが減少するように、前記第１面に対向する面とは反対側の面が傾斜している、ことが好ましい。
【００１６】
本適用例によれば、補助部材のバンド本体側の端部に傾斜を備えていることにより、装着したときのフィット感を向上させることが可能となる。
【００１７】
［適用例６］上記適用例に記載のバンドにおいて、前記補助部材は、前記バンド本体に対して脱着可能である、ことが好ましい。
【００１８】
本適用例によれば、例えば補助部材に汚れや劣化・破損などを生じた場合に、補助部材を容易に取り換えることができる。
【００１９】
［適用例７］上記適用例に記載のバンドにおいて、前記補助部材は、前記バンド本体側の端部に突起部を備え、前記バンド本体は、前記突起部に対向する位置に凹部を備えている、ことが好ましい。
【００２０】
本適用例によれば、突起部をバンド本体の凹部に挿入することにより、補助部材の脱着を容易に行うことができる。
【００２１】
［適用例８］上記適用例に記載のバンドにおいて、前記補助部材は、前記伸縮部よりも硬度が低く、前記第１面側の前記蛇腹構造の隙間に埋設されている、ことが好ましい。
【００２２】
本適用例によれば、蛇腹構造の伸縮性を損ねることなく、装着したときのフィット感を向上させることが可能となる。
【００２３】
［適用例９］本適用例に係る生体情報計測装置は、生体情報センサーと、前記生体情報センサーを保持するケースと、蛇腹構造の伸縮部とバンド本体とを含み、前記ケースに接続されたバンドと、を含む。
【００２４】
本適用例に記載の生体情報計測装置によれば、蛇腹構造の伸縮部であることにより、蛇腹構造の配列されている方向（伸長方向）と交差する方向（伸縮方向と異なる方向）に対する伸縮部の強度を強くすることができ、生体情報センサーが保持されたケースが過度に捩じれたり傾いたりすることを防ぐことができ、生体情報センサーのセンシング感度のバラツキを抑え、センシング精度を向上させることができる。また、蛇腹構造の伸縮部が過度に捩じれたり傾いたりせず、ケースの過度な動きを抑制することができ、装着感（フィット感）を高めることが可能となる。
【００２５】
［適用例１０］上記適用例に記載の生体情報計測装置において、前記生体情報センサーは、前記ケースの一方面側に配置されており、前記伸縮部は、前記一方面側に位置する第１面を有し、前記蛇腹構造は、前記第１面と交差する方向に折り曲げられている、ことが好ましい。
【００２６】
本適用例によれば、第１面と交差する方向に折り曲げられている蛇腹構造により、第１面に沿った方向に対する伸縮部の強度を高めることができ、第１面に沿った方向にケースが過度に捩じれたり傾いたりすることを防ぐことができる。
【００２７】
［適用例１１］上記適用例に記載の生体情報計測装置において、前記伸縮部の、少なくとも前記第１面側に配置された補助部材を含む、ことが好ましい。
【００２８】
本適用例によれば、伸縮部の第１面側に補助部材が配置されているため、装着したときに蛇腹構造と被検体との直接の当接を防止することができ、装着フィット感を向上させることが可能となる。
【００２９】
［適用例１２］上記適用例に記載の生体情報計測装置において、前記補助部材は、前記伸縮部の前記第１面を覆う、ことが好ましい。
【００３０】
本適用例によれば、補助部材が伸縮部の第１面を覆っているため、装着したときに蛇腹構造と被検体との直接の当接を防止することができ、装着フィット感を向上させることが可能となる。
【００３１】
［適用例１３］上記適用例に記載の生体情報計測装置において、前記補助部材は、さらに、前記伸縮部の前記第１面に対向する第２面と、前記第１面と前記第２面とを接続する面とを覆う、ことが好ましい。
【００３２】
本適用例によれば、補助部材により、蛇腹構造の伸縮部が見えないことから、バンドの視認性（デザイン性）を向上させることができる。また、伸縮部が補助部材に囲まれているため、補助部材が伸縮部のガイド部材として機能し、ケースの過度の捩じれや傾きを、さらに抑制することができる。
【００３３】
［適用例１４］上記適用例に記載の生体情報計測装置において、前記補助部材は、前記伸縮部と硬度が同じ、または前記伸縮部よりも硬度が低い、ことが好ましい。
【００３４】
本適用例によれば、補助部材の硬度が伸縮部の硬度と同じ、または伸縮部の硬度より低いため、蛇腹構造の伸縮性を損ねることなく補助部材を配置することができる。
【００３５】
［適用例１５］上記適用例に記載の生体情報計測装置において、前記補助部材の前記バンド本体側の端部は、前記伸縮部側から前記バンド本体側に向かって厚さが減少するように、前記第１面に対向する面とは反対側の面が傾斜している、ことが好ましい。
【００３６】
本適用例によれば、補助部材のバンド本体側の端部に傾斜を備えていることにより、装着したときのフィット感を向上させることが可能となる。
【００３７】
［適用例１６］上記適用例に記載の生体情報計測装置において、前記補助部材は、前記バンド本体に対して脱着可能である、ことが好ましい。
【００３８】
本適用例によれば、例えば補助部材に汚れや劣化・破損などを生じた場合に、補助部材を容易に取り換えることができる。
【００３９】
［適用例１７］上記適用例に記載の生体情報計測装置において、前記補助部材は、前記バンド本体側の端部に、突起部を備え、前記バンド本体は、前記突起部に対向する位置に凹部を備えている、ことが好ましい。
【００４０】
本適用例によれば、突起部をバンド本体の凹部に挿入することにより、補助部材の脱着を容易に行うことができる。
【００４１】
［適用例１８］上記適用例に記載の生体情報計測装置において、前記補助部材は、前記伸縮部よりも硬度が低く、前記一方面側の前記蛇腹の隙間に埋設されている、ことが好ましい。
【００４２】
本適用例によれば、蛇腹構造の伸縮性を損ねることなく、装着したときのフィット感を向上させることが可能となる。
【図面の簡単な説明】
【００４３】
【図１Ａ】第１実施形態に係る身体装着型の生体情報計測装置の構成例を示す上面（表面）斜視図。
【図１Ｂ】第１実施形態に係る生体情報計測装置の下面（裏面）斜視図。
【図２Ａ】従来の生体情報計測装置の構成例を示す上面斜視図。
【図２Ｂ】従来の生体情報計測装置の構成例を示す下面斜視図。
【図３Ａ】従来の生体情報計測装置の問題点の説明図。
【図３Ｂ】従来の生体情報計測装置の問題点の説明図。
【図３Ｃ】従来の生体情報計測装置の問題点の説明図。
【図４Ａ】実施例１に係るバンドの構成例を示す上面斜視図。
【図４Ｂ】実施例１に係るバンドの伸縮部を示す図であり、図４ＡのＡ−Ａ線での断面斜視図。
【図４Ｃ】実施例１に係るバンドの伸縮部を示し、図４ＡのＡ−Ａ線での断面図。
【図５Ａ】実施例１に係る補助パッドの構成例を示す下面斜視図。
【図５Ｂ】実施例１に係る補助パッドの構成例を示す上面斜視図。
【図５Ｃ】実施例１に係る補助パッドの構成例を示す図であり、図５ＡのＢ−Ｂ断面図。
【図５Ｄ】実施例１に係る補助パッドの構成例を示す図であり、図５ＣのＱ視図。
【図６Ａ】実施例２に係るバンドの構成例を示す上面斜視図。
【図６Ｂ】実施例２に係るバンドの構成例を示す下面斜視図。
【図６Ｃ】実施例２に係る補助パッドの構成例を示す上面斜視図。
【図７Ａ】実施例３に係るバンドの構成例を示す上面斜視図。
【図７Ｂ】実施例３に係るバンドの構成例を示す下面斜視図。
【図７Ｃ】実施例３に係る補助パッドの構成例を示す平面図。
【図７Ｄ】実施例３に係る補助パッドの構成例を示す正面図。
【図７Ｅ】実施例３に係る補助パッドの構成例を示す図であり、図７ＡのＣ−Ｃ断面図。
【図８】変形例１に係る補助パッドの構成例を示す正面図。
【図９】変形例２に係る補助パッドの構成例を示し、図７ＡのＣ−Ｃ線と同じ位置での断面図。
【図１０Ａ】変形例３に係る補助パッドの構成例を示す上面斜視図。
【図１０Ｂ】変形例３に係る補助パッドの構成例を示す下面斜視図。
【図１０Ｃ】変形例３に係る補助パッドの構成例を示す正面図。
【図１１Ａ】第２実施形態に係る身体装着型の生体情報計測装置の構成例を示す上面（表面）斜視図。
【図１１Ｂ】第２実施形態に係る生体情報計測装置の下面（裏面）斜視図。
【図１２Ａ】バンド（伸縮部）のケースへの取付けを説明する上面斜視図。
【図１２Ｂ】バンド（伸縮部）のケースへの取付けを説明する平面図（上面図）。
【発明を実施するための形態】
【００４４】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００４５】
（第１実施形態）
図１Ａおよび図１Ｂを用いて、本発明の第１実施形態に係る身体装着型の生体情報計測装置１００の構成例について説明する。図１Ａには、本発明に係る身体装着型の生体情報計測装置１００の上面（表面）側からの斜視図を示し、図１Ｂには、本発明に係る身体装着型の生体情報計測装置１００の下面（裏面）側からの斜視図を示す。なお、本明細書においては、生体情報計測装置１００の表示面側を上または表、表示面とは反対側（装着時に被検体に接する側）を下または裏として説明する。
【００４６】
第１実施形態に係る身体装着型の生体情報計測装置１００は、被検体（被装着体）に装着され、被検体（被装着体）の生体情報を検出する生体情報センサーとしてのセンサー部９０が保持されるケースとしてのケース部３０と、ケース部３０に取り付けられるバンドとしてのバンド部（第１のバンド部３１および第２のバンド部３２）と、補助部材としての補助パッド（第１の補助パッド２１０および第２の補助パッド２２０）と、を含む。以下、第１のバンド部３１および第２のバンド部３２を総称してバンド部３１（３２）、第１の補助パッド２１０および第２の補助パッド２２０を総称して補助パッド２１０（２２０）、ということがある。そして、バンド部３１（３２）は、バンド部３１（３２）の長手方向である第１の方向ＤＲ１（図４Ａ参照）に沿って延在するバンド本体（第１のバンド本体１１および第２のバンド本体１２）と、ケース部３０側のバンド本体（第１のバンド本体１１および第２のバンド本体１２）に接続され、第１の方向ＤＲ１に沿って伸長可能な蛇腹構造の伸縮部（第１の伸縮部２１および第２の伸縮部２２）を有する。以下、第１のバンド本体１１および第２のバンド本体１２を総称してバンド本体１１（１２）、第１の伸縮部２１および第２の伸縮部２２を総称して伸縮部２１（２２）、ということがある。
【００４７】
図１Ａおよび図１Ｂに示す生体情報計測装置１００の構成をより詳細に説明すると、生体情報計測装置１００は、第１のバンド部３１と、第２のバンド部３２と、ケース部３０と、固定部（遊革、定革）４０と、連結部（美錠）５０と、表示部７０と、操作部８０と、ケース部３０の一方面側（被検体側）に配置された生体情報センサーとしてのセンサー部９０と、を含む。但し、生体情報計測装置１００は、図１Ａおよび図１Ｂの構成に限定されず、これらの一部の構成要素を省略したり、他の構成要素を追加したりするなどの種々の変形実施が可能である。なお、ケース部３０は、トップケースおよびボトムケースを有する構成であってもよい。
【００４８】
以下、図４Ａに示されているように、バンド部３１（３２）の長手方向を第１の方向ＤＲ１とし、第１の方向ＤＲ１に対して直交する、バンド部３１（３２）の短手方向（幅方向）を第２の方向ＤＲ２とし、第１の方向ＤＲ１および第２の方向ＤＲ２のそれぞれに直交するバンド部３１（３２）の厚み方向を第３の方向として説明する。なお、本実施形態では、第２の方向ＤＲ２は、第１の方向ＤＲ１と直交する方向として説明するが、それには限定されず、第２の方向ＤＲ２は、第１の方向ＤＲ１と交差する方向としてもよい。また、第３の方向は、第１の方向ＤＲ１および第２の方向ＤＲ２のそれぞれに直交する方向として説明するが、それには限定されず、第３の方向は、第１の方向ＤＲ１および第２の方向ＤＲ２のそれぞれに交差する方向としてもよい。
【００４９】
第１のバンド部３１は、ケース部３０の一端に取り付けられ、第２のバンド部３２は、ケース部３０の他端に取り付けられる。さらに、第１のバンド部３１は、第１のバンド本体１１と、第１のバンド本体１１に接続され、第１の方向ＤＲ１に沿って伸長可能な蛇腹構造の第１の伸縮部２１とを有する。また、第２のバンド部３２は、第２のバンド本体１２と、第２のバンド本体１２に接続され、第１の方向ＤＲ１に沿って伸長可能な蛇腹構造の第２の伸縮部２２とを有する。
【００５０】
なお、バンド部３１（３２）のケース部３０側の端部には、図４Ａ、図４Ｂに示されているように、伸縮部２１（２２）の第２の方向ＤＲ２（幅方向）の両側にあって、ケース部３０側に向かって突出する接続部２０１（２０２）が設けられている。換言すれば、バンド部３１（３２）のケース部３０側の端部には、図５Ａ、図５Ｂを参照して後述する補助パッド２１０（２２０）のケース接続部２１２（２２２）が挿入される切欠きを中央部に有し、その両側に接続部２０１（２０２）が設けられている。そして、両側の接続部２０１（２０２）には、バンド部３１（３２）の幅方向（第２の方向ＤＲ２）に沿って両側の接続部２０１（２０２）を貫通する孔ＨＬ２，ＨＬ４が設けられている。この孔ＨＬ２，ＨＬ４に、後述する棒部材（バネ棒）ＢＢ（図１２Ａ参照）が挿通されることで、バンド部３１（３２）がケース部３０に取り付けられることができる。なお、第１のバンド部３１側の接続部２０１および第２のバンド部３２側の接続部２０２を総称して接続部２０１（２０２）、第１のバンド部３１側のケース接続部２１２および第２のバンド部３２側のケース接続部２２２を総称してケース接続部２１２（２２２）、とすることがある。
【００５１】
また、伸縮部２１（２２）とバンド本体１１（１２）との接続部分の、第２の方向ＤＲ２（幅方向）の中央部には、図４Ａ、図４Ｂに示されているように、バンド本体１１（１２）の表裏面を貫通すると共に、伸縮部２１（２２）の一部を切り欠いた（底部を残して壁部を切り欠いた）凹部としての嵌合部２０７（２０８）が設けられている。凹部としての嵌合部２０７（２０８）は、後述する補助パッド（第１の補助パッド２１０および第２の補助パッド２２０）をバンド本体１１（１２）に接続するフック部２１６（２２６）を含む突起部２１５（２２５）に対向する位置に配置される。
【００５２】
また、バンド本体１１（１２）には、連結部（美錠）５０の挿入される孔を含めた複数の貫通孔２０５（２０６）が配列されている。この複数の貫通孔２０５（２０６）は、バンド本体１１（１２）の表裏を貫通している。なお、貫通孔２０５（２０６）の数や配列構成は問わない。
【００５３】
なお、バンド部３１（３２）は、例えばウレタン樹脂、シリコーン樹脂、エラストマー樹脂、フッ素樹脂、ポリスチレン樹脂、ポリエチレン樹脂などの材料によって形成されることが好ましい。
【００５４】
伸縮部２１（２２）は、第１のバンド本体１１および第２のバンド本体１２の、ケース部３０側の端部に配置され、上面（第２面）２１ｆ（２２ｆ）（図４Ｃ参照）と、上面（第２面）２１ｆ（２２ｆ）と反対側の下面（第１面）２１ｒ（２２ｒ）（図４Ｃ参照）とを有している。伸縮部２１（２２）は、上面（第２面）２１ｆ（２２ｆ）および下面（第１面）２１ｒ（２２ｒ）のそれぞれが、第１のバンド本体１１および第２のバンド本体１２の厚さ方向（第３の方向）に折り曲げられた折り曲げ部が、複数連なって接続された蛇腹構造を有している。そして、伸縮部２１（２２）は、第１の方向ＤＲ１に引っ張り力が加えられた場合に、この蛇腹構造により、第１の方向ＤＲ１に沿って伸長することが可能となる。
【００５５】
第１のバンド本体１１および第２のバンド本体１２の伸縮部（第１の伸縮部２１および第２の伸縮部２２）の下面（第１面）２１ｒ（２２ｒ）（図４Ｃ参照）側には、補助部材としての補助パッド（第１の補助パッド２１０および第２の補助パッド２２０）が、少なくとも下面２１ｒ（２２ｒ）と対向する位置を含み設けられている。
【００５６】
そして、連結部（美錠）５０は、第１のバンド部３１および第２のバンド部３２を連結する。固定部（遊革、定革）４０は、第１のバンド部３１および第２のバンド部３２が連結された状態で、第１のバンド本体１１を第２のバンド本体１２に沿って固定する。
【００５７】
また、表示部７０は、各種情報を表示する。操作部８０は、ユーザーによる操作を受け付ける。生体情報センサーとしてのセンサー部９０は、ケース部３０の一方面側（被検体側）に配置された裏蓋（裏面）に設けられ、被検体に押し当てられた状態で、被検体の生体情報を検出する。
【００５８】
一方、前述した特許文献１においては、図２Ａおよび図２Ｂに示すような生体情報計測装置１００ｃが例示されている。なお、図２Ａは、従来の生体情報計測装置の構成例を示す上面斜視図であり、図２Ｂは、従来の生体情報計測装置の構成例を示す下面斜視図である。
【００５９】
前述したように、図２Ａおよび図２Ｂに示すようなバンドを有する生体情報計測装置１００ｃでは、激しい腕の振り等によって機器本体に大きな重力加速度が掛かり、バンド部１１ｃ（１２ｃ）に設けた伸縮部２１ｃ（２２ｃ）に伸長方向とは異なる方向の力が作用することがある。その結果、機器本体（ケース部３０ｃ）が腕の動きに合わせて揺れたり、捻れたり、あるいは傾いたりしてしまう。
【００６０】
このような問題点について、図３Ａ、図３Ｂ、および図３Ｃを参照して説明する。図３Ａ〜図３Ｃには、従来の生体情報計測装置の問題点の一例を示している。図３Ａには、非伸長時のバンドＢＤと被検体表面ＳＦを図示している。この状態から、伸縮部の伸長方向（後述する第１の方向ＤＲ１）にバンドＢＤが伸長した際には、図３Ｂの状態となる。図３Ｂの状態では、図３Ａと同様に、センサー部ＳＥが被検体表面ＳＦに密着しているため、正常にセンサー信号を取得することができ、問題を生じることがない。
【００６１】
一方、図３Ｃに示すように、伸縮部の伸長方向（第１の方向ＤＲ１）とは異なる第２の方向ＤＲ２に力が作用した場合には、センサー部ＳＥが被検体表面ＳＦからＰ１で示すように、浮き上がってしまう。そのため、センサー部ＳＥが正常にセンサー信号を取得することができず、問題となる。
【００６２】
そこで、本実施形態にかかる生体情報計測装置１００では、図１Ａおよび図１Ｂに示すように、バンド部３１（３２）の伸縮部２１（２２）の伸長方向（第１の方向ＤＲ１：図３Ｂ参照）への伸長を行いつつ、伸長方向とは異なる方向（第２の方向ＤＲ２：図３Ｃ参照）などへの動きを規制することが可能な蛇腹構造の伸縮部（第１の伸縮部２１および第２の伸縮部２２）を設けている。よって、被検体が動く場合でも、センサー部９０を所与の圧力で被検体に押し付けた状態を維持することが可能となる。その結果、センサー信号の誤検出を防ぐことができる。
【００６３】
また、例えば被検体（被装着体）の腕の周径に合わせて、バンド部３１（３２）を伸張させて、センサー部９０を所与の圧力で被検体に押し当てること等が可能になる。また、被検体が生体情報計測装置１００を装着している間に、バンド部３１（３２）を巻き付けた部位の周径が変わった場合にも、伸縮部２１（２２）を自動的に伸長させて、センサー部９０を被検体に所与の圧力で押しつける状態を維持すること等も可能である。
【００６４】
次に、本実施形態にかかる生体情報計測装置１００のバンド部３１（３２）における、蛇腹構造の伸縮部（第１の伸縮部２１および第２の伸縮部２２）、および補助パッド（第１の補助パッド２１０および第２の補助パッド２２０）について、より具体的な実施例について詳細に説明する。
【００６５】
（実施例１に係るバンドの構成）
先ず、実施例１に係る伸縮部（第１の伸縮部２１および第２の伸縮部２２）、および補助パッド（第１の補助パッド２１０および第２の補助パッド２２０）について、図４Ａ〜図４Ｃ、および図５Ａ〜図５Ｄを参照して詳細に説明する。図４Ａは、実施例１に係るバンドの構成例を示す上面斜視図である。図４Ｂは、実施例１に係るバンドの伸縮部を示す図であり、図４ＡのＡ−Ａ線での断面斜視図である。図４Ｃは、実施例１に係るバンドの伸縮部を示し、図４ＡのＡ−Ａ線での断面図である。図５Ａ〜図５Ｄは、実施例１に係る補助パッドの構成例を示す図であり、図５Ａは下面斜視図、図５Ｂは上面斜視図、図５Ｃは図５ＡのＢ−Ｂ断面図、図５Ｄは図５ＣのＱ視図である。
【００６６】
前述でも概要を述べたが、図４Ａ、図４Ｂ、および図４Ｃに示すように、実施例１に係る蛇腹構造の伸縮部（第１の伸縮部２１および第２の伸縮部２２）は、上面（第２面）２１ｆ（２２ｆ）と、上面２１ｆ（２２ｆ）と反対側の下面（第１面）２１ｒ（２２ｒ）と、上面２１ｆ（２２ｆ）と下面２１ｒ（２２ｒ）とを接続する第１の側面ＳＳ１および第２の側面ＳＳ２と、を有している。
【００６７】
伸縮部（第１の伸縮部２１および第２の伸縮部２２）は、第１のバンド本体１１および第２のバンド本体１２の、ケース部３０側の端部に配置されている。伸縮部（第１の伸縮部２１および第２の伸縮部２２）は、上面（第２面）２１ｆ（２２ｆ）（図４Ｃ参照）を有する凸状部２１ａ（２２ａ）と、凸状部２１ａ（２２ａ）の第２の方向ＤＲ２に沿って設けられる折り曲げ部から第３の方向に下面（第１面）２１ｒ（２２ｒ）（図４Ｃ参照）に向かって折り曲げられた凹状部２１ｂ（２２ｂ）とを含み、凹状部２１ｂ（２２ｂ）から反対方向である上面（第２面）２１ｆ（２２ｆ）に向かって折り返された折返し部が、複数連なって接続された蛇腹構造をなしている。
【００６８】
なお、本第１実施形態の伸縮部２１（２２）では、三つの折返し部を有する蛇腹構成を示しているが、第１の方向ＤＲ１への伸長が可能であれば折返し部の数は幾つであってもよい。また、第２の方向ＤＲ２に沿った折り曲げ部は、第１のバンド本体１１および第２のバンド本体１２の短手としての幅の全副に亘って設けられている。即ち、折返し部は、第１のバンド本体１１および第２のバンド本体１２の幅方向（第２の方向ＤＲ２）全長に亘って設けられている。
【００６９】
このような伸縮部２１（２２）は、第１の方向ＤＲ１に引っ張り力が加えられた場合に、この蛇腹構造により、第１の方向ＤＲ１に沿って伸長することが可能となるが、伸長方向とは異なる方向（第２の方向ＤＲ２）などの方向には動き難い。したがって、伸縮部２１（２２）は、バンド部３１（３２）の伸縮部２１（２２）の伸長方向（第１の方向ＤＲ１）への伸長を行いつつ、伸長方向とは異なる方向（第２の方向ＤＲ２）などへの動きを規制することが可能となる。
【００７０】
補助部材としての第１の補助パッド２１０は、第１のバンド部３１の第１の伸縮部２１の上面（第２面）２１ｆと反対側となる下面（第１面）２１ｒ側に配置されている。第１の補助パッド２１０は、少なくとも第１の伸縮部２１の下面２１ｒと対向する位置を含み設けられている。本実施形態では、第１の補助パッド２１０は、少なくとも下面（第１面）２１ｒを覆っている。
【００７１】
また、同様に、補助部材としての第２の補助パッド２２０は、第２のバンド部３２の第２の伸縮部２２の上面（第２面）２２ｆと反対側となる下面（第１面）２２ｒ側に配置されている。第２の補助パッド２２０は、少なくとも第２の伸縮部２２の下面２２ｒと対向する位置を含み設けられている。本実施形態では、第２の補助パッド２２０は、少なくとも下面（第１面）２２ｒを覆っている。なお、第１のバンド部３１側の第１の補助パッド２１０および第２のバンド部３２側の第２の補助パッド２２０を総称して補助パッド２１０（２２０）とすることがある。また、補助パッド２１０（２２０）を構成する各部位についても、同様な表現とすることがある。
【００７２】
補助パッド（第１の補助パッド２１０および第２の補助パッド２２０）は、図５Ａ、図５Ｂ、図５Ｃ、および図５Ｄに示すように、パッド本体２１１（２２１）と、パッド本体２１１（２２１）の一方の端部に突起状に設けられたケース接続部２１２（２２２）と、パッド本体２１１（２２１）の他方の端部から延在する庇部２１４（２２４）とを含む。なお、本説明では、同様な構成である第１の補助パッド２１０の構成部位および第２の補助パッド２２０を構成する各部位を総称して、例えばパッド本体２１１（２２１）という。
【００７３】
パッド本体２１１（２２１）は、伸縮部（第１の伸縮部２１および第２の伸縮部２２）を少なくとも覆う薄板状をなし、被検体（被装着体）側の外面２１１ａ（２２１ａ）と、伸縮部（第１の伸縮部２１および第２の伸縮部２２）側の内面２１１ｂ（２２１ｂ）と、を備えている。
【００７４】
ケース接続部２１２（２２２）は、ケース部３０に補助パッド（第１の補助パッド２１０および第２の補助パッド２２０）を接続する部位であり、パッド本体２１１（２２１）のケース部３０側に位置する一方の端部から突起状に設けられている。ケース接続部２１２（２２２）には、パッド本体２１１（２２１）の幅方向（第２の方向ＤＲ２）に沿ってケース接続部２１２（２２２）を貫通する孔ＨＬ３が設けられている。この孔ＨＬ３に、後述する棒部材（バネ棒）ＢＢ（図１２Ａ参照）が挿通されることで、補助パッド（第１の補助パッド２１０および第２の補助パッド２２０）がケース部３０に取り付けられることができる。
【００７５】
庇部２１４（２２４）は、補助パッド（第１の補助パッド２１０および第２の補助パッド２２０）のバンド本体（第１のバンド本体１１および第２のバンド本体１２）側に位置している。なお、第１のバンド部３１側の庇部２１４および第２のバンド部３２側の庇部２２４を総称して庇部２１４（２２４）としている。
【００７６】
庇部２１４（２２４）は、バンド本体（第１のバンド本体１１および第２のバンド本体１２）側に位置する蛇腹構造の折返し形状に沿った段部を有し、その段部において伸縮部（第１の伸縮部２１および第２の伸縮部２２）側に位置する面（第１面に対向する側の面）である内接面２１４ｂ（２２４ｂ）を有している。また、庇部２１４（２２４）は、内接面２１４ｂ（２２４ｂ）と反対側の面である傾斜面ＦＳと、バンド本体（第１のバンド本体１１および第２のバンド本体１２）の内面２１１ｂ（２２１ｂ）から突出する突起部２１５（２２５）とを備えている。
【００７７】
内接面２１４ｂ（２２４ｂ）は、補助パッド（第１の補助パッド２１０および第２の補助パッド２２０）をバンド本体（第１のバンド本体１１および第２のバンド本体１２）に取り付けた場合に、バンド本体（第１のバンド本体１１および第２のバンド本体１２）に接する面である。
【００７８】
補助パッド（第１の補助パッド２１０および第２の補助パッド２２０）の傾斜面ＦＳは、バンド本体（第１のバンド本体１１および第２のバンド本体１２）側に位置し、伸縮部２１（２２）側からバンド本体１１（１２）側に向かって、庇部２１４（２２４）の内接面２１４ｂ（２２４ｂ）と傾斜面ＦＳとの距離が少なくなるように、即ち庇部２１４（２２４）の厚さが減少するように傾斜している。換言すれば、庇部２１４（２２４）の傾斜面ＦＳは、バンド本体１１（１２）側の端部において、内接面２１４ｂ（２２４ｂ）と略つながるように傾斜している。
【００７９】
このような傾斜面ＦＳを庇部２１４（２２４）に設けることによって、補助パッド（第１の補助パッド２１０および第２の補助パッド２２０）とバンド本体１１（１２）との段差が被検体側に露出しなくなり、生体情報計測装置１００を被検体に装着した場合に、段差によって生じるフィット感の低下を防ぐことが可能となる。また、庇部２１４（２２４）の傾斜面ＦＳの傾斜により、フィット感をさらに向上させることが可能となる。
【００８０】
なお、庇部２１４（２２４）のバンド本体１１（１２）側の端部は、内接面２１４ｂ（２２４ｂ）と傾斜面ＦＳとが曲面の外面形状を有する端面で接続されてもよいし、平面の外面形状を有する端面で接続されてもよいが、曲線状の外面形状を有する端面がより好ましく、装着感をより向上させることができる。
【００８１】
突起部２１５（２２５）は、内接面２１４ｂ（２２４ｂ）から突出する突起本体２１７（２２７）と、突起本体２１７（２２７）のバンド本体１１（１２）側の端面２１５ａ（２２５ａ）と、端面２１５ａ（２２５ａ）側の突起本体２１７（２２７）からケース接続部２１２（２２２）の位置する方向に向かって庇状に突出するフック部２１６（２２６）と、を備えている。フック部２１６（２２６）は、突起本体２１７（２２７）の端面２１５ａ（２２５ａ）が延伸する外側面と、パッド本体２１１（２２１）の内面２１１ｂ（２２１ｂ）と間隙を有して対向する内側面２１６ａ（２２６ａ）とを備えている。
【００８２】
そして、このフック部２１６（２２６）を用いることにより、補助パッド（第１の補助パッド２１０および第２の補助パッド２２０）とバンド部３１（３２）とを脱着可能に接続することができる。具体的には、伸縮部２１（２２）とバンド部３１（３２）との接続部分に設けられている嵌合部２０７（２０８）に、フック部２１６（２２６）を含む突起部２１５（２２５）を嵌め込むことによって、補助パッド（第１の補助パッド２１０および第２の補助パッド２２０）とバンド部３１（３２）とを接続することができる。
【００８３】
さらに具体的には、先ず、伸縮部２１（２２）の一部を切り欠いた（底部を残して壁部を切り欠いた）部分である伸縮部２１（２２）の底部に、フック部２１６（２２６）の内側面２１６ａ（２２６ａ）が対向するようにフック部２１６（２２６）を挿入する。その後、バンド本体１１（１２）に設けられた凹部としての嵌合部２０７（２０８）の貫通孔部分に突起本体２１７（２２７）を嵌め込むことにより、補助パッド（第１の補助パッド２１０および第２の補助パッド２２０）とバンド部３１（３２）とを接続（装着）できる。また、この逆の工程を経ることで、補助パッド（第１の補助パッド２１０および第２の補助パッド２２０）をバンド部３１（３２）から離脱することができる。
【００８４】
このように、フック部２１６（２２６）を含む突起部２１５（２２５）を、バンド本体１１（１２）に設けられた凹部としての嵌合部２０７（２０８）に挿入することにより、補助部材としての補助パッド（第１の補助パッド２１０および第２の補助パッド２２０）を容易に脱着することができる。これにより、例えば補助パッド（第１の補助パッド２１０および第２の補助パッド２２０）に汚れや劣化・破損などが生じた場合に、補助パッド（第１の補助パッド２１０および第２の補助パッド２２０）を容易に取り換えることが可能となる。
【００８５】
なお、パッド本体２１１（２２１）には、フック部２１６（２２６）と対向する位置に、フック部２１６（２２６）の外形形状と同じ、もしくは若干大きな外形形状となる貫通孔２１８（２２８）が設けられている。貫通孔２１８（２２８）は、パッド本体２１１（２２１）の内面２１１ｂ（２２１ｂ）と外面２１１ａ（２２１ａ）とを貫通している。換言すれば、補助パッド（第１の補助パッド２１０および第２の補助パッド２２０）を、パッド本体２１１（２２１）の外面２１１ａ（２２１ａ）側から見たとき、貫通孔２１８（２２８）を通してフック部２１６（２２６）を視認することができる。
【００８６】
このような貫通孔２１８（２２８）を設けることにより、補助パッド（第１の補助パッド２１０および第２の補助パッド２２０）をバンド部３１（３２）に取り付けるときに、パッド本体２１１（２２１）の外面２１１ａ（２２１ａ）側からフック部２１６（２２６）の位置を視認することができ、取付けを容易に行うことができる。
【００８７】
なお、補助パッド（第１の補助パッド２１０および第２の補助パッド２２０）は、例えばウレタン樹脂、シリコーン樹脂を主材とした樹脂、エラストマー樹脂などで形成することができる。ここで、補助パッド（第１の補助パッド２１０および第２の補助パッド２２０）は、伸縮部（第１の伸縮部２１および第２の伸縮部２２）の硬度と同じ、または伸縮部（第１の伸縮部２１および第２の伸縮部２２）の硬度よりも硬度が低い材料で形成されていることが好ましい。換言すれば、補助パッド（第１の補助パッド２１０および第２の補助パッド２２０）は、伸縮部（第１の伸縮部２１および第２の伸縮部２２）よりも、柔らかく伸び易い（伸縮し易い）ことになる。
【００８８】
このような、柔軟で可撓性（伸び易い）を備えた樹脂で形成された補助パッド（第１の補助パッド２１０および第２の補助パッド２２０）とすることで、蛇腹構造の伸縮部（第１の伸縮部２１および第２の伸縮部２２）の伸縮性を損ねることなく、補助パッド（第１の補助パッド２１０および第２の補助パッド２２０）を配置することができる。
【００８９】
上述のような実施例１に係るバンド部としてのバンド部３１（３２）の構成によれば、伸縮部２１（２２）の下面（第１面）２１ｒ（２２ｒ）と交差する方向に折り曲げられている蛇腹構造により、伸縮部２１（２２）の伸長方向（第１の方向ＤＲ１）と異なる方向である、下面（第１面）２１ｒ（２２ｒ）に沿った方向（例えば、第２の方向ＤＲ２）に対する伸縮部２１（２２）の強度を高めることができる。これにより、伸縮部２１（２２）の下面（第１面）２１ｒ（２２ｒ）に沿った方向（例えば、第２の方向ＤＲ２）に、伸縮部２１（２２）が過度に捩じれたり傾いたりすることを防ぐことができる。
【００９０】
また、伸縮部２１（２２）の下面（第１面）２１ｒ（２２ｒ）側に補助部材としての補助パッド（第１の補助パッド２１０および第２の補助パッド２２０）が配置されているため、装着したときに蛇腹構造と被検体とが、直接に触れる（当接）ことを防ぐことができ、装着フィット感を向上させることが可能となる。
【００９１】
（実施例２に係るバンドの構成）
次に、実施例２に係る伸縮部（第１の伸縮部２１および第２の伸縮部２２）、および補助パッド（第１の補助パッド３１０および第２の補助パッド３２０）について、図６Ａ〜図６Ｃを参照して詳細に説明する。図６Ａは、実施例２に係るバンドの構成例を示す上面斜視図である。図６Ｂは、実施例２に係るバンドの構成例を示す下面斜視図である。図６Ｃは、実施例２に係る補助パッドの構成例を示す上面斜視図である。なお、以下の説明では、前述の実施例１と同様な構成については、同符号を付して、その説明を省略することがある。また、前述の実施例１と同様に、例えば、第１のバンド部３１ａおよび第２のバンド部３２ａを総称してバンド部３１ａ（３２ａ）としたり、第１のバンド部３１（図１参照）側の接続帯部３１４および第２のバンド部３２側の接続帯部３２４を総称して接続帯部３１４（３２４）としたりすることがある。
【００９２】
実施例２に係るバンド部３１ａ（３２ａ）は、実施例１と同様な蛇腹構造の伸縮部（第１の伸縮部２１および第２の伸縮部２２）と、補助部材としての補助パッド３１０（３２０）と、を備えている。なお、蛇腹構造の伸縮部（第１の伸縮部２１および第２の伸縮部２２）は、前述した実施例１と同様な構成であるため、本実施例２では説明を省略する。
【００９３】
補助部材としての補助パッド３１０（３２０）は、伸縮部２１（２２）の下面（第１面）２１ｒ（２２ｒ）側にパッド本体３１１（３２１）が配置されている。補助パッド３１０（３２０）は、少なくとも伸縮部２１（２２）の下面（第１面）２１ｒ（２２ｒ）と対向する位置を含み設けられている。本実施形態では、補助パッド３１０（３２０）は、少なくとも伸縮部２１（２２）の下面（第１面）２１ｒ（２２ｒ）を覆っている。
【００９４】
補助パッド（第１の補助パッド３１０および第２の補助パッド３２０）は、図６Ｃに示すように、パッド本体３１１（３２１）と、パッド本体３１１（３２１）の第２の方向ＤＲ２（幅方向）に位置する両端部に設けられた側壁３１２（３２２），３１３（３２３）と、パッド本体３１１（３２１）と空隙を有して側壁３１２（３２２）と側壁３１３（３２３）とを接続する三つの接続帯部３１４（３２４）と、を備えている。
【００９５】
また、補助パッド３１０（３２０）は、バンド本体（第１のバンド本体１１および第２のバンド本体１２）側の端部に、パッド本体３１１（３２１）および側壁３１２（３２２），３１３（３２３）から延在された庇部３１５（３２５）を備えている。庇部３１５（３２５）は、バンド本体１１（１２）側に位置する面（第１面に対向する側の面）である内接面３１０ｂ（３２０ｂ）と、内接面３１０ｂ（３２０ｂ）と反対側の面である傾斜面ＦＳと、を備えている。なお、内接面３１０ｂ（３２０ｂ）は、補助パッド３１０（３２０）をバンド本体１１（１２）に取り付けた場合に、バンド本体１１（１２）に接する面である。
【００９６】
パッド本体３１１（３２１）は、伸縮部２１（２２）を少なくとも覆う薄板状をなし、被検体（被装着体）側の外面３１０ａ（３２０ａ）と、伸縮部（第１の伸縮部２１および第２の伸縮部２２）側の内面３１０ｃ（３２０ｃ）と、を備えている。
【００９７】
傾斜面ＦＳは、実施例１と同様に、伸縮部２１（２２）側からバンド本体１１（１２）側に向かって、庇部３１５（３２５）の内接面３１０ｂ（３２０ｂ）と傾斜面ＦＳとの距離が少なくなるように、即ち庇部３１５（３２５）の厚さが減少するように傾斜している。このような傾斜面ＦＳにより、実施例１と同様に、生体情報計測装置１００を被検体に装着した場合に、段差によって生じるフィット感の低下を防ぐことが可能となる。
【００９８】
接続帯部３１４（３２４）は、可撓性を有した帯状をなしている。そして、パッド本体３１１（３２１）に対して、伸縮部２１（２２）の凸状部２１ａ（２２ａ）と凸状部２１ａ（２２ａ）との間に位置する伸縮部２１（２２）の凹状部２１ｂ（２２ｂ）を、この帯状の接続帯部３１４（３２４）によって挟み込むことにより、補助パッド３１０（３２０）を伸縮部２１（２２）に取り付ける（接続する）ことができる。
【００９９】
このように、パッド本体３１１（３２１）に対して、接続帯部３１４（３２４）を、伸縮部２１（２２）の凹状部２１ｂ（２２ｂ）に挟み込むことにより、容易に補助パッド３１０（３２０）を伸縮部２１（２２）に脱着することができる。これにより、例えば補助パッド３１０（３２０）に汚れや劣化・破損などが生じた場合に、補助パッド３１０（３２０）を容易に取り換えることが可能となる。
【０１００】
なお、補助パッド３１０（３２０）は、例えばウレタン樹脂、シリコーン樹脂を主材とした樹脂、エラストマー樹脂などで形成することができる。ここで、補助パッド３１０（３２０）は、伸縮部２１（２２）の硬度と同じ、または伸縮部２１（２２）の硬度よりも硬度が低い材料で形成されていることが好ましい。換言すれば、補助パッド３１０（３２０）は、伸縮部２１（２２）よりも、柔らかく伸び易い（伸縮し易い）。
【０１０１】
このような、柔軟で可撓性（伸び易い）を備えた樹脂で形成された補助パッド３１０（３２０）とすることで、蛇腹構造の伸縮部２１（２２）の伸縮性を損ねることなく、補助パッド３１０（３２０）を配置することができる。
【０１０２】
また、実施例２にかかるバンド部としてのバンド部３１ａ（３２ａ）の構成によれば、前述の実施例１と同様な効果を奏する。加えて、接続帯部３１４（３２４）が設けられていることにより、容易に補助パッド３１０（３２０）を伸縮部２１（２２）に脱着することができ、例えば補助パッド３１０（３２０）の汚れや劣化・破損などが生じた場合に、補助パッド３１０（３２０）を容易に取り換えることが可能となる。
【０１０３】
（実施例３に係るバンドの構成）
次に、実施例３に係る伸縮部（第１の伸縮部２１および第２の伸縮部２２）、および補助パッド（第１の補助パッド４１０および第２の補助パッド４２０）について、図７Ａ〜図７Ｅを参照して詳細に説明する。図７Ａは、実施例３に係るバンドの構成例を示す上面斜視図である。図７Ｂは、実施例３に係るバンドの構成例を示す下面斜視図である。図７Ｃは、実施例３に係る補助パッドの構成例を示す平面図である。図７Ｄは、実施例３に係る補助パッドの構成例を示す正面図である。図７Ｅは、実施例３に係る補助パッドの構成例を示す図であり、図７ＡのＣ−Ｃ断面図である。なお、以下の説明では、前述の実施例１と同様な構成については、同符号を付して、その説明を省略することがある。また、前述の実施例１と同様に、例えば、第１のバンド部３１ｂおよび第２のバンド部３２ｂを総称してバンド部３１ｂ（３２ｂ）としたり、第１のバンド部３１（図１参照）側の上部４１４および第２のバンド部３２側の上部４２４を総称して、上部４１４（４２４）としたりすることがある。
【０１０４】
実施例３に係るバンド部３１ｂ（３２ｂ）は、実施例１と同様な蛇腹構造の伸縮部（第１の伸縮部２１および第２の伸縮部２２）と、補助部材としての補助パッド４１０（４２０）と、を備えている。なお、蛇腹構造の伸縮部（第１の伸縮部２１および第２の伸縮部２２）は、前述した実施例１と同様な構成であるため、本実施例３では説明を省略する。
【０１０５】
補助部材としての補助パッド４１０（４２０）は、図７Ａ〜図７Ｄに示すように、伸縮部２１（２２）の下面（第１面）２１ｒ（２２ｒ）（図７Ｅ参照）側にパッド本体４１１（４２１）が配置されている。補助パッド４１０（４２０）は、少なくとも伸縮部２１（２２）の下面（第１面）２１ｒ（２２ｒ）と対向する位置を含み設けられている。本実施形態において、補助パッド４１０（４２０）は、少なくとも伸縮部２１（２２）の下面（第１面）を覆っている。
【０１０６】
図７Ｅに示すように、補助パッド４１０（４２０）は、伸縮部２１（２２）の下面（第１面）２１ｒ（２２ｒ）に対向するパッド本体４１１（４２１）と、上面（第２面）２１ｆ（２２ｆ）に対向する上部４１４（４２４）と、パッド本体４１１（４２１）と上部４１４（４２４）とを繋ぐ第１の壁部４１２（４２２）と、第２の壁部４１３（４２３）を有する。
【０１０７】
言い換えれば、補助パッド４１０（４２０）は、伸縮部２１（２２）の下面（第１面）２１ｒ（２２ｒ）と、下面（第１面）２１ｒ（２２ｒ）に対向する上面（第２面）２１ｆ（２２ｆ）と、下面（第１面）２１ｒ（２２ｒ）と上面（第２面）２１ｆ（２２ｆ）とを接続する側面（側面：図では付番していないが、図４Ａに示す第１の側面ＳＳ１および第２の側面ＳＳ２）を覆うように配置されている。このように、補助パッド４１０（４２０）は、伸縮部２１（２２）の外周面を覆うように設けられた、少なくとも一方が開口する概ね筒形状をなしている。
【０１０８】
また、補助パッド４１０（４２０）は、図７Ａ〜図７Ｄに示すように、パッド本体４１１（４２１）と、パッド本体４１１（４２１）の一方の端部に突起状に設けられたケース接続部４１６（４２６）と、パッド本体４１１（４２１）の他方の端部から延在する庇部４１５（４２５）とを含む。
【０１０９】
ケース接続部４１６（４２６）は、ケース部３０に補助パッド４１０（４２０）を接続する部位であり、パッド本体４１１（４２１）の一方の端部から突起状に設けられている。ケース接続部４１６（４２６）には、パッド本体４１１（４２１）の幅方向（第２の方向ＤＲ２）に沿ってケース接続部４１６（４２６）を貫通する孔ＨＬ３が設けられている。この孔ＨＬ３に、後述する棒部材（バネ棒）ＢＢ（図１２Ａ参照）が挿通されることで補助パッド４１０（４２０）がケース部３０に取り付けられることができる。
【０１１０】
庇部４１５（４２５）は、補助パッド４１０（４２０）のパッド本体４１１（４２１）側に位置し、少なくともパッド本体４１１（４２１）を含む補助パッド４１０（４２０）からバンド本体１１（１２）側に向かい、バンド本体１１（１２）に沿って平板状に突出している。庇部４１５（４２５）は、バンド本体１１（１２）側に位置する面（第１面に対向する側の面）である内接面４１０ｂ（４２０ｂ）と、内接面４１０ｂ（４２０ｂ）と反対側の面である傾斜面ＦＳと、を備えている。なお、内接面４１０ｂ（４２０ｂ）は、補助パッド４１０（４２０）をバンド本体１１（１２）に取り付けた場合に、バンド本体１１（１２）に接する面である。
【０１１１】
傾斜面ＦＳは、実施例１と同様に、伸縮部２１（２２）側からバンド本体１１（１２）側に向かって、庇部４１５（４２５）の内接面４１０ｂ（４２０ｂ）と傾斜面ＦＳとの距離が少なくなるように、即ち庇部４１５（４２５）の厚さが減少するように傾斜している。このような傾斜面ＦＳにより、実施例１と同様に、生体情報計測装置１００を被検体に装着した場合に、段差によって生じるフィット感の低下を防ぐことが可能となる。
【０１１２】
補助パッド４１０（４２０）は、上述した実施例と同様に、例えばウレタン樹脂、シリコーン樹脂を主材とした樹脂、エラストマー樹脂などで形成することができる。なお、実施例２に係る補助パッド４１０（４２０）は、伸縮部２１（２２）と別体構成であるため、伸縮部２１（２２）の伸長（伸縮）と同期して伸長（伸縮）する必要がない。したがって、補助パッド４１０（４２０）は、上述した材料に替えて、硬度の高い材質、例えば、アルミニウム、アルミ合金、ステンレスなどの成形の容易な金属材料を用いることができる。
【０１１３】
実施例３にかかるバンド部としてのバンド部３１ｂ（３２ｂ）の構成によれば、前述の実施例１と同様な効果を奏する。加えて、筒形状の補助パッド４１０（４２０）により、伸縮部２１（２２）の第２の方向ＤＲ２への動きを、補助パッド４１０（４２０）においても規制することができる。したがって、伸縮部２１（２２）の伸長方向（第１の方向ＤＲ１）への動きをガイドしつつ、第２の方向ＤＲ２への動きを規制することができる。よって、被検体が動く場合でも、センサー部９０を所与の圧力で被検体に押し付けた状態を維持することが可能となる。その結果、センサー信号の誤検出を防ぐことができる。
【０１１４】
また、実施例３にかかるバンド部としてのバンド部３１ｂ（３２ｂ）の構成によれば、補助パッド４１０（４２０）により、蛇腹構造の伸縮部２１（２２）が見えないことから、バンド部３１ｂ（３２ｂ）の視認性（デザイン性）を向上させることができる。
【０１１５】
（補助パッドの変形例１）
次に、補助パッドの変形例１について、図８を参照して説明する。図８は、変形例１に係る補助パッドの構成例を示す正面図である。なお、以下の説明では、前述の実施例１と同様な構成については、同符号を付して、その説明を省略することがある。また、前述の実施例１と同様に、例えば、第１のバンド本体１１および第２のバンド本体１２を総称してバンド本体１１（１２）としたり、第１のバンド部３１（図１参照）側の補助パッド５１０および第２のバンド部３２側の補助パッド５２０を総称して、補助パッド５１０（５２０）としたりすることがある。
【０１１６】
変形例１に係る補助パッド５１０（５２０）は、図８に示すように、実施例１と同様な蛇腹構造の伸縮部２１（２２）の下面（第１面）２１ｒ（２２ｒ）と対向し、下面（第１面）２１ｒ（２２ｒ）を少なくとも覆うように配置されたパッド本体５１１（５２１）と、パッド本体５１１（５２１）の一方の端部に突起状に設けられたケース接続部５１６（５２６）と、パッド本体５１１（５２１）の他方の端部から延在する庇部５１５（５２５）とを備えている。なお、パッド本体５１１（５２１）と、ケース接続部５１６（５２６）とは、実施例１と同様であるので、ここでの説明を省略する。
【０１１７】
変形例１に係る補助パッド５１０（５２０）は、上述した実施例１の補助パッド２１０（２２０）と、庇部５１５（５２５）の構成が異なる。具体的に、変形例１の庇部５１５（５２５）は、伸縮部２１（２２）と空隙Ｓを有して配置される。また、変形例１の庇部５１５（５２５）は、実施例１に設けられていた突起部２１５（２２５）が設けられない。
【０１１８】
変形例１の庇部５１５（５２５）は、バンド本体１１（１２）側に位置する蛇腹構造の折返し形状に沿った段部を有している。そして、その段部が、伸縮部２１（２２）と空隙Ｓを有して配置される。庇部５１５（５２５）は、伸縮部２１（２２）側に位置する面である内接面（図８では図示せず）と、内接面と反対側の面である傾斜面ＦＳとを備えている。
【０１１９】
補助パッド５１０（５２０）は、上述した実施例と同様に、例えばウレタン樹脂、シリコーン樹脂を主材とした樹脂、エラストマー樹脂などで形成することができる。なお、変形例１に係る補助パッド５１０（５２０）は、伸縮部２１（２２）と別体構成であるため、伸縮部２１（２２）の伸長（伸縮）と同期して伸長（伸縮）する必要がない。したがって、補助パッド５１０（５２０）は、上述した材料に替えて、硬度の高い材質、例えば、アルミニウム、アルミ合金、ステンレスなどの成形の容易な金属材料を用いることができる。
【０１２０】
このような、変形例１にかかる補助パッド５１０（５２０）の構成においても、簡易な構成で前述の実施例１と同様な効果を奏する。
【０１２１】
（補助パッドの変形例２）
次に、補助パッドの変形例２について、図９を参照して説明する。図９は、変形例２に係る補助パッドの構成例を示し、図７ＡのＣ−Ｃ線と同じ位置での断面図である。なお、以下の説明では、前述の実施例１と同様な構成については、同符号を付して、その説明を省略する。また、前述の実施例１と同様に、例えば、第１の伸縮部２１および第２の伸縮部２２を総称して伸縮部２１（２２）としたり、第１のバンド部３１（図１参照）側の補助パッド６１０および第２のバンド部３２側の補助パッド６２０を総称して、補助パッド６１０（６２０）としたりすることがある。
【０１２２】
変形例２に係る補助パッド６１０（６２０）は、図９に示すように、実施例１と同様な蛇腹構造の伸縮部２１（２２）の下面（第１面）２１ｒ（２２ｒ）と対向し、下面（第１面）２１ｒ（２２ｒ）少なくとも覆うように配置されたパッド本体５１１（５２１）と、パッド本体５１１（５２１）の第２の方向ＤＲ２（幅方向）に位置する両端部に設けられた側壁６１２（６２２），６１３（６２３）と、を備えている。側壁６１２（６２２），６１３（６２３）は、伸縮部２１（２２）の上面（第２面）２１ｆ（２２ｆ）の位置する方向に突出している。なお、変形例２に係る補助パッド６１０（６２０）の他の構成（例えば、不図示のケース接続部や庇部）は、実施例１と同様であるため、その説明を省略する。
【０１２３】
変形例２に係る補助パッド６１０（６２０）は、上述した実施例と同様に、例えばウレタン樹脂、シリコーン樹脂を主材とした樹脂、エラストマー樹脂などで形成することができる。
【０１２４】
このような側壁６１２（６２２），６１３（６２３）を備えた補助パッド６１０（６２０）においても変形例１にかかる補助パッド５１０（５２０）の構成においても、簡易な構成で前述の実施例１と同様な効果を奏する。
【０１２５】
また、加えて、両端部に設けられた側壁６１２（６２２），６１３（６２３）により、伸縮部２１（２２）の第２の方向ＤＲ２への動きを、両端部に設けられた側壁６１２（６２２），６１３（６２３）においても規制することができる。したがって、補助パッド６１０（６２０）は、伸縮部２１（２２）の伸長方向（第１の方向ＤＲ１）への動きをガイドしつつ、第２の方向ＤＲ２への動きを規制することができる。
【０１２６】
（補助パッドの変形例３）
次に、補助パッドの変形例３について、図１０Ａ〜図１０Ｃを参照して説明する。図１０Ａ〜図１０Ｃは、変形例３に係る補助パッドの構成例を示し、１０Ａは、上面斜視図であり、図１０Ｂは、下面斜視図であり、図１０Ｃは、正面図である。なお、以下の説明では、前述の実施例１と同様な構成については、同符号を付して、その説明を省略する。また、前述の実施例１と同様に、例えば、第１のバンド部３１および第２のバンド部３２を総称してバンド部３１（３２）としたり、第１のバンド部３１（図１参照）側の補助パッド７１０および第２のバンド部３２側の補助パッド７２０を総称して、補助パッド７１０（７２０）としたりすることがある。なお、バンド部３１（３２）の構成は、実施例と同様であるため、説明を省略する。
【０１２７】
変形例３に係る補助パッド７１０（７２０）は、図１０Ａ〜図１０Ｃに示すように、実施例１と同様な蛇腹構造の伸縮部２１（２２）の下面（第１面）２１ｒ（２２ｒ）側に開放する蛇腹構造のそれぞれの隙間に埋設された埋設部７１２（７２２）で構成されている。埋設部７１２（７２２）は、伸縮部２１（２２）の下面（第１面）２１ｒ（２２ｒ）と略同じ高さまで埋設され、伸縮部２１（２２）の下面（第１面）２１ｒ（２２ｒ）との段差を生じないことが望ましい。
【０１２８】
埋設部７１２（７２２）は、伸縮部２１（２２）よりも硬度が低く、即ち十分な柔軟性を有しており、伸縮部２１（２２）の伸長に伴って伸びることができる。これにより、蛇腹構造の伸縮性を損ねることがない。
【０１２９】
このような補助パッド７１０（７２０）によれば、伸縮部２１（２２）が伸縮動作しても補助パッド７１０（７２０）は伸縮部２１（２２）の動きに連れて動き、補助パッド７１０（７２０）と、バンド本体１１（１２）や伸縮部２１（２２）との間に隙間などを生じないため、被検体の挟み込みなど装着感（フィット感）を損ねる事象を防ぐことが可能となり、装着したときのフィット感を向上させることが可能となる。
【０１３０】
以上説明した第１実施形態に係るバンド部３１（３２）、およびバンド部３１（３２）を用いた身体装着型の生体情報計測装置１００によれば、伸縮部２１（２２）の下面（第１面）２１ｒ（２２ｒ）と交差する方向に折り曲げられている蛇腹構造により、伸縮部２１（２２）の伸長方向（第１の方向ＤＲ１）と異なる方向である、下面（第１面）２１ｒ（２２ｒ）に沿った方向（例えば、第２の方向ＤＲ２）に対する伸縮部２１（２２）の強度を強くする（高める）ことができる。これにより、伸縮部２１（２２）の伸長方向（第１の方向ＤＲ１）と異なる方向である、伸縮部２１（２２）の下面（第１面）２１ｒ（２２ｒ）に沿った方向に、伸縮部２１（２２）が過度に捩じれたり傾いたりすることを防ぐことができ、過度の捩じれや傾きによる伸縮部２１（２２）の破損を抑制することが可能となる。
【０１３１】
また、伸縮部２１（２２）の下面（第１面）２１ｒ（２２ｒ）側、即ち被検体側に補助部材としての補助パッド（変形例３を除く第１の補助パッド２１０，３１０，４１０，５１０，６１０および第２の補助パッド２２０，３２０，４２０，５２０，６２０）が配置されているため、装着したときに被検体と蛇腹構造（伸縮部２１（２２））とが直接的に触れることが無い（当接が無い）。これにより、例えば被検体を蛇腹構造に挟み込んでしまうなど、装着感（フィット感）を損ねる事象を防ぐことが可能となる。したがって、装着フィット感を向上させることが可能となる。
【０１３２】
また、伸縮部２１（２２）の下面（第１面）２１ｒ（２２ｒ）側、即ち被検体側に変形例３に係る補助パッド７１０（７２０）が配置されていることにより、蛇腹構造（伸縮部２１（２２））を構成する折返し部の凸状の部分間の隙間が埋まる。これにより、蛇腹構造（伸縮部２１（２２））を構成する折返し部の凸状の部分間の隙間が無くなることから、例えば被検体を蛇腹構造に挟み込んでしまうなど、装着感（フィット感）を損ねる事象を防ぐことが可能となる。したがって、装着フィット感を向上させることが可能となる。
【０１３３】
また、上述のような蛇腹構造の伸縮部２１（２２）を有する生体情報計測装置１００を用いることにより、ランニングなどのスポーツを行うなど被検体が激しく動く場合でも、センサー部９０を所与の圧力で被検体に押し付けた状態を維持することが可能となる。
【０１３４】
（第２実施形態）
図１１Ａおよび図１１Ｂを用いて、本発明の第２実施形態に係る身体装着型の生体情報計測装置１０１の構成例について説明する。図１１Ａには、本発明に係る身体装着型の生体情報計測装置１０１の上面（表面）側からの斜視図を示し、図１１Ｂには、本発明に係る身体装着型の生体情報計測装置１０１の下面（裏面）側からの斜視図を示す。
【０１３５】
上述の第１実施形態に係る生体情報計測装置１００では、バンド部３１（３２）に接続された伸縮部２１（２２）と、それに対応する補助パッド２１０（２２０）と、を２セット有している構成例、換言すれば第１のバンド部３１および第２のバンド部３２のそれぞれに伸縮部２１（２２）と補助パッド２１０（２２０）とを備えた構成例を説明した。
【０１３６】
これに比し、第２実施形態に係る生体情報計測装置１０１は、図１１Ａおよび図１１Ｂに示すように、第１のバンド部３１を構成する第１のバンド本体１１に接続された第１の伸縮部２１と、それに対応する第１の補助パッド２１０を１セットだけ有している。即ち、図１１Ａおよび図１１Ｂに示すように、第２のバンド部１３２には、伸縮部が設けられておらず、第２のバンド本体１１２が、直接ケース部３０と接続されている。ここで、第１の伸縮部２１（第１のバンド部３１）、および第１の補助パッド２１０の構成は、第１実施形態の構成と同様であるため、詳細な説明を省略する、また、その他の構成についても、図１Ａおよび図１Ｂを参照して説明した第１実施形態の構成と同様であるため、説明を省略する。
【０１３７】
このように、１セットの第１の伸縮部２１と第１の補助パッド２１０とを備えた第２実施形態に係る生体情報計測装置１０１によれば、第１の伸縮部２１、または第１の伸縮部２１に隣り合う領域の第１のバンド本体１１に接続された第１の補助パッド２１０により、第１の伸縮部２１が過度に捩じれたり傾いたりすることを防ぐことができ、過度の捩じれや傾きによる第１の伸縮部２１の破損を抑制することが可能となる。
【０１３８】
また、被検体に装着した場合、第１の伸縮部２１と被検体との間に補助部材としての第１の補助パッド２１０が配置されていることから、装着したときに被検体と蛇腹構造（伸縮部２１（２２））の直接の当接が無く、例えば被検体を蛇腹構造に挟み込んでしまうなど、装着感（フィット感）を損ねる事象を防ぐことが可能となる。したがって、装着フィット感を向上させることが可能となる。即ち、第２実施形態に係る生体情報計測装置１０１においても、第１実施形態に係る生体情報計測装置１００と同様な効果を奏する。
【０１３９】
（バンドとケース部との取り付け構成）
ここで、図１２Ａおよび図１２Ｂを参照して、上述の第１実施形態および第２実施形態における、バンド部３１（３２），１３２とケース部３０との取り付け（接続）例について説明する。図１２Ａおよび図１２Ｂは、バンド（伸縮部）のケースへの取付けを説明するための説明図であり、図１２Ａは上面側から見た上面斜視図であり、図１２Ｂは、上面から見た平面図（上面図）である。なお、図１２Ａの上面斜視図は、バネ棒ＢＢを挿通する前の状態を示している。また、図１２Ｂに示す平面図は、バネ棒ＢＢを挿通した後の取り付け状態を示している。
【０１４０】
取り付けの具体例としては、図１２Ａおよび図１２Ｂに示すように、ケース部３０における取り付け部位に孔ＨＬ１および孔ＨＬ５が設けられ、バンド部３１（３２），１３２の伸縮部２１（２２）の取り付け側（ケース部３０側）の端部の第２の方向ＤＲ２（幅方向の）両側にあって、ケース部３０側に向かって突出する接続部２０１（２０２）に、それぞれ孔ＨＬ２，ＨＬ４が設けられる。また、伸縮部２１（２２）の接続部２０１（２０２）の間に位置する補助パッド２１０（２２０）のケース接続部２１２（２２２）には、孔ＨＬ３が設けられる。そして、これらの孔部（ＨＬ１，ＨＬ２，ＨＬ３，ＨＬ４，ＨＬ５）に、共通の棒部材（バネ棒）ＢＢが挿通されることで、取り付け位置において、バンド部３１（３２），１３２の伸縮部２１（２２）、および補助パッド２１０（２２０）がケース部３０に取り付けられることができる。
【０１４１】
なお、バンド部３１（３２），１３２とケース部３０との取り付け（接続）の構成は、上述例の伸縮部２１（２２）の取り付け部位である接続部２０１（２０２）を挟み、その両側にケース部３０の取り付け部位が配置される構成に限定されるものではない。他の構成例としては、例えば、ケース部３０の取り付け部位を挟み、その両側に伸縮部２１（２２）の取り付け部位である接続部が突出して配置され、それぞれに孔部が設けられ、それぞれの孔部に上述と同様な共通の棒部材（バネ棒）ＢＢが挿通されることで、バンド部３１（３２），１３２とケース部３０との取り付け（接続）を行うこともできる。
【０１４２】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書または図面において、少なくとも一度、より広義または同義な異なる用語と共に記載された用語は、明細書または図面のいかなる箇所においても、その異なる用語に置き換えることができる。また、生体情報計測装置の構成、動作も本実施形態で説明したものに限定されず、種々の変形実施が可能である。
【符号の説明】
【０１４３】
１１…第１のバンド本体、１２…第２のバンド本体、２１…蛇腹構造の第１の伸縮部、２２…蛇腹構造の第２の伸縮部、３０…ケースとしてのケース部、３１…バンドとしての第１のバンド部、３２…バンドとしての第２のバンド部、４０…固定部、５０…連結部、７０…表示部、８０…操作部、９０…生体情報センサーとしてのセンサー部、１００，１０１…身体装着型の生体情報計測装置、２１０…補助部材としての第１の補助パッド、２１１…パッド本体，２１４…庇部、２２０…補助部材としての第２の補助パッド、２２１…パッド本体、ＦＳ…庇部の傾斜面、ＤＲ１…第１の方向、ＤＲ２…第２の方向。
【図１Ａ】
2017176208.tif 000003
【図１Ｂ】
2017176208.tif 000004
【図２Ａ】
2017176208.tif 000005
【図２Ｂ】
2017176208.tif 000006
【図３Ａ】
2017176208.tif 000007
【図３Ｂ】
2017176208.tif 000008
【図３Ｃ】
2017176208.tif 000009
【図４Ａ】
2017176208.tif 000010
【図４Ｂ】
2017176208.tif 000011
【図４Ｃ】
2017176208.tif 000012
【図５Ａ】
2017176208.tif 000013
【図５Ｂ】
2017176208.tif 000014
【図５Ｃ】
2017176208.tif 000015
【図５Ｄ】
2017176208.tif 000016
【図６Ａ】
2017176208.tif 000017
【図６Ｂ】
2017176208.tif 000018
【図６Ｃ】
2017176208.tif 000019
【図７Ａ】
2017176208.tif 000020
【図７Ｂ】
2017176208.tif 000021
【図７Ｃ】
2017176208.tif 000022
【図７Ｄ】
2017176208.tif 000023
【図７Ｅ】
2017176208.tif 000024
【図８】
2017176208.tif 000025
【図９】
2017176208.tif 000026
【図１０Ａ】
2017176208.tif 000027
【図１０Ｂ】
2017176208.tif 000028
【図１０Ｃ】
2017176208.tif 000029
【図１１Ａ】
2017176208.tif 000030
【図１１Ｂ】
2017176208.tif 000031
【図１２Ａ】
2017176208.tif 000032
【図１２Ｂ】
2017176208.tif 000033